(57)【要約】【課題】ブートドライブを適切に選択できる記憶処理装置及びプログラムを提供する。【解決手段】オペレーティングシステムが記憶されたリムーバブルハードディスク２５１及び２５２を接続するＮＡＳ２０は、リムーバブルハードディスク２５１及び２５２のうち、自身のシグネチャが記憶されたリムーバブルハードディスクに自身に適したオペレーティングシステムが記憶されているとみなして、当該リムーバブルハードディスクをブートドライブとして選択し、選択したブートドライブに記憶されたオペレーティングシステムを起動する。【選択図】図１
2011191904.tif 000002
【特許請求の範囲】
【請求項１】
システム情報が記憶された複数の記憶媒体を接続可能な記憶処理装置であって、
前記複数の記憶媒体のうち、前記記憶処理装置の識別情報が記憶された前記記憶媒体をブートドライブとして選択し、選択した前記ブートドライブに記憶された前記システム情報に基づく前記記憶処理装置の起動を行うブート処理部を備える記憶処理装置。
【請求項２】
前記ブート処理部は、前記記憶処理装置の識別情報が記憶された前記記憶媒体が複数存在する場合に、前記記憶処理装置の識別情報が記憶された前記記憶媒体のうち、記憶された前記システム情報の作成日付が最新の前記記憶媒体を前記ブートドライブとして選択する請求項１に記載の記憶処理装置。
【請求項３】
前記ブート処理部は、前記記憶処理装置の識別情報が記憶された前記記憶媒体が存在しない場合に、前記複数の記憶媒体のうち、記憶された前記システム情報の作成日付が最新の前記記憶媒体を前記ブートドライブとして選択する請求項１に記載の記憶処理装置。
【請求項４】
前記ブート処理部は、記憶された前記システム情報の作成日付が最新の前記記憶媒体が複数存在する場合に、前記システム情報の作成日付が最新の前記記憶媒体のうち、前記記憶処理装置において前記記憶媒体を一意に特定可能な識別番号が所定の条件を満たす前記記憶媒体を前記ブートドライブとして選択する請求項２又は３に記載の記憶処理装置。
【請求項５】
外部との通信を行う通信インタフェースを備え、
前記記憶処理装置の識別情報は、前記通信インタフェースに付与されたＭＡＣアドレスである請求項１乃至４の何れかに記載の記憶処理装置。
【請求項６】
システム情報が記憶された複数の記憶媒体を接続可能な記憶処理装置に、
前記複数の記憶媒体のうち、前記記憶処理装置の識別情報が記憶された前記記憶媒体をブートドライブとして選択し、選択した前記ブートドライブに記憶された前記システム情報に基づく前記記憶処理装置の起動を行うステップを実行させるプログラム。
【発明の詳細な説明】
【技術分野】
【０００１】
本発明は、システム情報が記憶された複数の記憶媒体を接続可能な記憶処理装置、及び、当該記憶処理装置において実行されるプログラムに関する。
【背景技術】
【０００２】
近年、ＮＡＳ（Ｎｅｔｗｏｒｋ  Ａｔｔａｃｈｅｄ  Ｓｔｏｒａｇｅ）と称される記憶処理装置が普及しつつある。ＮＡＳは、複数のハードディスクドライブを有し、当該ハードディスクドライブに映像や音声等の様々なコンテンツデータを記憶させることができる。ＮＡＳは、端末装置からのコンテンツデータの要求を、ネットワークを介して受信すると、要求されたコンテンツデータを、ネットワークを介して端末装置へ送信する。端末装置では、受信されたコンテンツデータの再生が行われる。
【０００３】
ＮＡＳの複数のハードディスクドライブは、それぞれオペレーティングシステムが記憶されている。ＮＡＳは、電源投入されると、何れかのハードディスクドライブをブートドライブとして選択し、その選択したブートドライブに記憶されたオペレーティングシステムを起動する。
【０００４】
ブートドライブの選択手法としては、例えば、特許文献１及び２に記載された技術が存在する。
【先行技術文献】
【特許文献】
【０００５】
【特許文献１】特開平５−１００８２７号公報
【特許文献２】特開２００２−４９４８７号公報
【発明の概要】
【発明が解決しようとする課題】
【０００６】
ところで、ＮＡＳには複数のリムーバブルハードディスクが接続可能となっているものがある。このようなＮＡＳ装置では、ＮＡＳに接続されたリムーバブルハードディスクが、ＮＡＳ以外の他の装置にも接続され、使用される場合がある。このため、リムーバブルハードディスクには、必ずしもＮＡＳに適したオペレーティングシステムが記憶されているとは限らない。従って、ブートドライブを適切に選択することが必要となる。
【０００７】
しかしながら、特許文献１に記載のブートドライブの選択手法では、利用者によるスイッチ操作に応じてブートドライブが選択されている。従って、利用者の操作を伴い、煩雑である。また、特許文献２に記載のブートドライブの選択手法では、システムのブート処理の途中でブートドライブまたは書き込まれているプログラムに異常が発生した場合に、自動的に他のドライブに切り替えるが、ＮＡＳに最適なオペレーティングシステムを起動するための適切なブートドライブの選択手法ではない。
【０００８】
上記問題点に鑑み、本発明は、ブートドライブを適切に選択できる記憶処理装置及びプログラムを提供することを目的とする。
【課題を解決するための手段】
【０００９】
上述した課題を解決するために、本発明は以下のような特徴を有している。
【００１０】
本発明の特徴は、システム情報（オペレーティングシステム）が記憶された複数の記憶媒体（リムーバブルハードディスク２５１、２５２）を接続可能な記憶処理装置（ＮＡＳ２０）であって、前記複数の記憶媒体のうち、前記記憶処理装置の識別情報（シグネチャ）が記憶された前記記憶媒体をブートドライブとして選択し、選択した前記ブートドライブに記憶された前記システム情報に基づく前記記憶処理装置の起動を行うブート処理部（ブート処理部２０３）を備えることを要旨とする。
【００１１】
このような記憶処理装置は、自身の識別情報が記憶された記憶媒体は、自身に適したシステム情報が記憶されているとみなし、その記憶媒体をブートドライブとして選択して、ブートドライブに記憶されたシステム情報に基づく起動を行う。従って、記憶処理装置に適したシステム情報が記憶されている記憶媒体をブートドライブとして適切に選択できる。
【００１２】
本発明の特徴は、前記ブート処理部は、前記記憶処理装置の識別情報が記憶された前記記憶媒体が複数存在する場合に、前記記憶処理装置の識別情報が記憶された前記記憶媒体のうち、記憶された前記システム情報の作成日付（タイムスタンプ）が最新の前記記憶媒体を前記ブートドライブとして選択することを要旨とする。
【００１３】
このような記憶処理装置は、システム情報の最新の作成日付が記憶された記憶媒体は、自身に適したシステム情報が記憶されているとみなし、その記憶媒体をブートドライブとして選択して、ブートドライブに記憶されたシステム情報に基づく起動を行う。従って、記憶処理装置に適したシステム情報が記憶されている記憶媒体をブートドライブとして適切に選択できる。
【００１４】
本発明の特徴は、前記ブート処理部は、前記記憶処理装置の識別情報が記憶された前記記憶媒体が存在しない場合に、前記複数の記憶媒体のうち、記憶された前記システム情報の作成日付が最新の前記記憶媒体を前記ブートドライブとして選択することを要旨とする。
【００１５】
このような記憶処理装置は、システム情報の最新の作成日付が記憶された記憶媒体は、自身に適したシステム情報が記憶されているとみなし、その記憶媒体をブートドライブとして選択して、ブートドライブに記憶されたシステム情報に基づく起動を行う。従って、記憶処理装置に適したシステム情報が記憶されている記憶媒体をブートドライブとして適切に選択できる。
【００１６】
本発明の特徴は、前記ブート処理部は、記憶された前記システム情報の作成日付が最新の前記記憶媒体が複数存在する場合に、前記システム情報の作成日付が最新の前記記憶媒体のうち、前記記憶処理装置において前記記憶媒体を一意に特定可能な識別番号（ディスク番号）が所定の条件を満たす前記記憶媒体を前記ブートドライブとして選択することを要旨とする。
【００１７】
本発明の特徴は、外部との通信を行う通信インタフェースを備え、前記記憶処理装置の識別情報は、前記通信インタフェースに付与されたＭＡＣアドレスであることを要旨とする。
【００１８】
このような記憶処理装置は、ＭＡＣアドレスが通信インタフェース（通信部）を一意に特定可能な情報であることに鑑み、内蔵する通信インタフェースに付与されたＭＡＣアドレスを記憶処理装置の識別情報として用いる。従って、例えば、他の記憶処理装置との間で識別情報が一意になるために必要なやりとりを行わなくても、識別情報を簡易に一意のものとすることが可能となる。
【００１９】
本発明の特徴は、システム情報が記憶された複数の記憶媒体を接続可能な記憶処理装置に、前記複数の記憶媒体のうち、前記記憶処理装置の識別情報が記憶された前記記憶媒体をブートドライブとして選択し、選択した前記ブートドライブに記憶された前記システム情報に基づく前記記憶処理装置の起動を行うステップを実行させるプログラムであることを要旨とする。
【発明の効果】
【００２０】
本発明によれば、ブートドライブを適切に選択できる。
【図面の簡単な説明】
【００２１】
【図１】本発明の実施形態に係るＮＡＳの外観構成図である。
【図２】本発明の実施形態に係るＮＡＳの全体概略構成図である。
【図３】本発明の実施形態に係るリムーバブルハードディスクの記憶領域の構成を示す図である。
【図４】本発明の実施形態に係るＮＡＳにおける第１の動作を示すフローチャートである。
【図５】本発明の実施形態に係るＮＡＳにおける第２の動作を示すフローチャートである。
【図６】本発明の実施形態に係るＮＡＳにおける第３の動作を示すフローチャートである。
【発明を実施するための形態】
【００２２】
次に、図面を参照して、本発明の実施形態を説明する。具体的には、（１）ＮＡＳの構成、（２）ＮＡＳの動作、（３）作用・効果、（４）その他の実施形態について説明する。以下の実施形態における図面の記載において、同一又は類似の部分には同一又は類似の符号を付している。
【００２３】
（１）ＮＡＳの構成
図１は、本発明の実施形態に係るＮＡＳ２０の外観構成図である。
【００２４】
図１に示すように、ＮＡＳ（Ｎｅｔｗｏｒｋ  Ａｔｔａｃｈｅｄ  Ｓｔｏｒａｇｅ）２０は、本体２１と、蓋部２２とを有する。ＮＡＳ１０は、２つのリムーバブルハードディスクを接続可能である。図１は、１つのリムーバブルハードディスク２５１が接続される状態を示す。
【００２５】
図２は、ＮＡＳ２０の全体概略構成図である。図２に示すように、ＮＡＳ２０は、リムーバブルハードディスク２５１及び２５２を接続する。ＮＡＳ２０は、制御部２００と、通信部２１０と、記憶部２２０と、出力部２３０と、記憶装置接続部２４１及び２４２とを含む。
【００２６】
制御部２００は、例えばＣＰＵによって構成され、ＮＡＳ２０が具備する各種機能を制御する。
【００２７】
通信部２１０は、例えばＬＡＮカードであり、ＭＡＣ（Media Access Control）アドレスが付与されている。通信部２１０は、外部との通信を行う通信インタフェースであり、例えば、図示しないＤＭＰ対応テレビ受像機との間で、ネットワークを介した通信を行う。
【００２８】
記憶部２２０は、例えば、ＮＡＮＤフラッシュメモリによって構成され、ＮＡＳ２０における制御などに用いられる各種情報を記憶する。具体的には、記憶部２２０は、ブートローダ等を記憶する。
【００２９】
出力部２３０は、例えばスピーカやＬＥＤによって構成され、例外処理の実行状況などを管理者に通知する。
【００３０】
記憶装置接続部２４１は、リムーバブルハードディスク２５１を接続する。記憶装置接続部２４２は、リムーバブルハードディスク２５２を接続する。
【００３１】
図３は、リムーバブルハードディスク２５１及び２５２の記憶領域の構成を示す図である。図３に示すように、リムーバブルハードディスク２５１及び２５２は、シグネチャ、オペレーティングシステム及びコンテンツデータの記憶領域により構成される。オペレーティングシステム記憶領域の一部は、タイムスタンプの記憶領域である。
【００３２】
シグネチャは、リムーバブルハードディスク２５１及び２５２の接続先であるＮＡＳにおいて初期化された場合に、当該ＮＡＳに内蔵されている通信部に付与されているＭＡＣアドレスである。オペレーティングシステムは、接続先のＮＡＳの電源投入時に起動され得るシステム情報である。タイムスタンプは、オペレーティングシステムのイメージファイルが作成された日付（年月日）である。コンテンツデータは、映像や音声等の再生可能なデータである。
【００３３】
制御部２００は、シグネチャ読み出し部２０１、タイムスタンプ読み出し部２０２及びブート処理部２０３を含む。これらシグネチャ読み出し部２０１、タイムスタンプ読み出し部２０２及びブート処理部２０３は、制御部２００が記憶部２２０からブートローダを読み出して実行することにより、実現される機能である。
【００３４】
シグネチャ読み出し部２０１は、リムーバブルハードディスク２５１及び２５２からシグネチャを読み出す。タイムスタンプ読み出し部２０２は、リムーバブルハードディスク２５１及び２５２からタイムスタンプを読み出す。
【００３５】
ブート処理部２０３は、リムーバブルハードディスク２５１及び２５２の何れかをブートドライブに選択し、選択したブートドライブに記憶されているオペレーティングシステムを起動する。
【００３６】
具体的には、ブート処理部２０３は、ＮＡＳ２０のシグネチャを取得する。ここで、ＮＡＳ２０のシグネチャは、通信部２１０に付与されたＭＡＣアドレスである。ブート処理部２０３は、通信部２１０にアクセスしてＭＡＣアドレスを取得することができる。更に、ブート処理部２０３は、ＮＡＳ２０のシグネチャと、リムーバブルハードディスク２５１及び２５２から読み出されたシグネチャとを比較し、ＮＡＳ２０のシグネチャと同一のシグネチャを記憶しているリムーバブルハードディスクが存在するか否かを判定する。
【００３７】
ＮＡＳ２０のシグネチャと同一のシグネチャを記憶しているリムーバブルハードディスクが存在する場合、ブート処理部２０３は、ＮＡＳ２０のシグネチャと同一のシグネチャを記憶しているリムーバブルハードディスクが複数存在するか否かを判定する。
【００３８】
ＮＡＳ２０のシグネチャと同一のシグネチャを記憶しているリムーバブルハードディスクが１つのみである場合、ブート処理部２０３は、ＮＡＳ２０のシグネチャと同一のシグネチャを記憶しているリムーバブルハードディスクをブートドライブとして選択する。
【００３９】
ＮＡＳ２０のシグネチャと同一のシグネチャを記憶しているリムーバブルハードディスクが複数存在する場合（ここでは、リムーバブルハードディスク２５１及び２５２の双方がＮＡＳ２０のシグネチャと同一のシグネチャを記憶している場合）、ブート処理部２０３は、ＮＡＳ２０のシグネチャと同一のシグネチャを記憶しているリムーバブルハードディスク２５１及び２５２から読み出されたタイムスタンプを比較し、最新のタイムスタンプを特定する。ブート処理部２０３は、最新のタイムスタンプを記憶しているリムーバブルハードディスクが複数存在するか否かを判定する。
【００４０】
最新のタイムスタンプを記憶しているリムーバブルハードディスクが複数存在する場合（ここでは、リムーバブルハードディスク２５１及び２５２から読み出されたタイムスタンプが同一である場合）には、ブート処理部２０３は、リムーバブルハードディスク２５１及び２５２のうち、最小のディスク番号に対応するリムーバブルハードディスクをブートドライブとして選択する。ここで、ディスク番号とは、ＮＡＳ２０においてリムーバブルハードディスクを一意に特定可能な識別情報であり、例えば、リムーバブルハードディスクがＮＡＳ２０に接続される際のスロットに付与されている番号である。
【００４１】
最新のタイムスタンプを記憶しているリムーバブルハードディスクが１つのみである場合、ブート処理部２０３は、最新のタイムスタンプを記憶しているリムーバブルハードディスクをブートドライブとして選択する。
【００４２】
ＮＡＳ２０のシグネチャと同一のシグネチャを記憶しているリムーバブルハードディスクが存在しない場合、ブート処理部２０３は、リムーバブルハードディスク２５１及び２５２から読み出されたタイムスタンプを比較し、最新のタイムスタンプを特定する。ブート処理部２０３は、最新のタイムスタンプを記憶しているリムーバブルハードディスクが複数存在するか否かを判定する。
【００４３】
最新のタイムスタンプを記憶しているリムーバブルハードディスクが複数存在する場合（ここでは、リムーバブルハードディスク２５１及び２５２から読み出されたタイムスタンプが同一である場合）には、ブート処理部２０３は、リムーバブルハードディスク２５１及び２５２のうち、最小のディスク番号に対応するリムーバブルハードディスクをブートドライブとして選択する。
【００４４】
最新のタイムスタンプを記憶しているリムーバブルハードディスクが１つのみである場合、ブート処理部２０３は、最新のタイムスタンプを記憶しているリムーバブルハードディスクをブートドライブとして選択する。
【００４５】
上述したブートドライブの選択処理により、ブートドライブが選択されると、ブート処理部２０３は、選択したブートドライブからオペレーティングシステムを読み出して起動する。
【００４６】
（２）ＮＡＳの動作
次に、ＮＡＳ１０の動作を説明する。図４乃至図６は、ＮＡＳ２０の動作を示すフローチャートである。
【００４７】
図４のステップＳ１０１において、シグネチャ読み出し部２０１は、リムーバブルハードディスク２５１及び２５２からシグネチャを読み出す。
【００４８】
ステップＳ１０２において、ブート処理部２０３は、ＮＡＳ２０のシグネチャと同一のシグネチャを記憶しているリムーバブルハードディスクが存在するか否かを判定する。
【００４９】
ＮＡＳ２０のシグネチャと同一のシグネチャを記憶しているリムーバブルハードディスクが存在する場合、ステップＳ１０３において、ブート処理部２０３は、ＮＡＳ２０のシグネチャと同一のシグネチャを記憶しているリムーバブルハードディスクが複数存在するか否か、換言すれば、リムーバブルハードディスク２５１及び２５２の双方がＮＡＳ２０のシグネチャと同一のシグネチャを記憶しているか否かを判定する。
【００５０】
リムーバブルハードディスク２５１及び２５２の双方がＮＡＳ２０のシグネチャと同一のシグネチャを記憶している場合、ステップＳ１０４において、タイムスタンプ読み出し部２０２は、リムーバブルハードディスク２５１及び２５２からタイムスタンプを読み出す。
【００５１】
ステップＳ１０５において、ブート処理部２０３は、最新のタイムスタンプを記憶しているリムーバブルハードディスクが複数存在するか否か、換言すれば、リムーバブルハードディスク２５１及び２５２の双方が同一のタイムスタンプを記憶しているか否かを判定する。
【００５２】
リムーバブルハードディスク２５１及び２５２の双方が同一のタイムスタンプを記憶している場合、ステップＳ１０６において、ブート処理部２０３は、リムーバブルハードディスク２５１及び２５２のうち、最小のディスク番号に対応するリムーバブルハードディスクをブートドライブとして選択する。
【００５３】
ステップＳ１０７において、ブート処理部２０３は、選択したブートドライブからオペレーティングシステムを読み出して起動する。
【００５４】
一方、ステップＳ１０５において、リムーバブルハードディスク２５１及び２５２が同一のタイムスタンプを記憶していないと判定された場合、換言すれば、リムーバブルハードディスク２５１及び２５２の一方が最新のタイムスタンプを記憶していると判定された場合、ステップＳ１０８において、ブート処理部２０３は、リムーバブルハードディスク２５１及び２５２のうち、最新のタイムスタンプを記憶しているリムーバブルハードディスクをブートドライブとして選択する。
【００５５】
ステップＳ１０９において、ブート処理部２０３は、選択したブートドライブからオペレーティングシステムを読み出して起動する。
【００５６】
ステップＳ１０３において、ＮＡＳ２０のシグネチャと同一のシグネチャを記憶しているリムーバブルハードディスクが複数存在しない場合、換言すれば、リムーバブルハードディスク２５１及び２５２がＮＡＳ２０の一方がシグネチャと同一のシグネチャを記憶していると判定された場合、図５のステップＳ１１０において、ブート処理部２０３は、ＮＡＳ２０のシグネチャと同一のシグネチャを記憶しているリムーバブルハードディスクをブートドライブとして選択する。
【００５７】
ステップＳ１１１において、ブート処理部２０３は、選択したブートドライブからオペレーティングシステムを読み出して起動する。
【００５８】
ステップＳ１０２において、ＮＡＳ２０のシグネチャと同一のシグネチャを記憶しているリムーバブルハードディスクが存在しないと判定された場合、図６のステップＳ１１２において、タイムスタンプ読み出し部２０２は、リムーバブルハードディスク２５１及び２５２からタイムスタンプを読み出す。
【００５９】
ステップＳ１１３において、ブート処理部２０３は、最新のタイムスタンプを記憶しているリムーバブルハードディスクが複数存在するか否か、換言すれば、リムーバブルハードディスク２５１及び２５２の双方が同一のタイムスタンプを記憶しているか否かを判定する。
【００６０】
リムーバブルハードディスク２５１及び２５２の双方が同一のタイムスタンプを記憶している場合、ステップＳ１１４において、ブート処理部２０３は、リムーバブルハードディスク２５１及び２５２のうち、最小のディスク番号に対応するリムーバブルハードディスクをブートドライブとして選択する。
【００６１】
ステップＳ１１５において、ブート処理部２０３は、選択したブートドライブからオペレーティングシステムを読み出して起動する。
【００６２】
ステップＳ１１３において、リムーバブルハードディスク２５１及び２５２の双方が同一のタイムスタンプを記憶していない、換言すれば、リムーバブルハードディスク２５１及び２５２の一方が最新のタイムスタンプを記憶していると判定された場合、ステップＳ１１６において、ブート処理部２０３は、リムーバブルハードディスク２５１及び２５２のうち、最新のタイムスタンプを記憶しているリムーバブルハードディスクをブートドライブとして選択する。
【００６３】
ステップＳ１１７において、ブート処理部２０３は、選択したブートドライブからオペレーティングシステムを読み出して起動する。
【００６４】
（３）作用・効果
本発明の実施形態において、オペレーティングシステムが記憶されたリムーバブルハードディスク２５１及び２５２を接続するＮＡＳ２０は、リムーバブルハードディスク２５１及び２５２のうち、自身のシグネチャが記憶されたリムーバブルハードディスクに自身に適したオペレーティングシステムが記憶されているとみなして、当該リムーバブルハードディスクをブートドライブとして選択し、選択したブートドライブに記憶されたオペレーティングシステムを起動する。従って、ＮＡＳ２０に適したオペレーティングシステムが記憶されているリムーバブルハードディスクをブートドライブとして適切に選択できる。
【００６５】
本発明の実施形態において、ＮＡＳ２０は、リムーバブルハードディスク２５１及び２５２の双方が自身のシグネチャを記憶している場合には、タイムスタンプが最新のリムーバブルハードディスクには自身に適したオペレーティングシステムが記憶されているとみなして、当該リムーバブルハードディスクをブートドライブとして選択し、選択したブートドライブに記憶されたオペレーティングシステムを起動する。従って、ＮＡＳ２０に適したオペレーティングシステムが記憶されているリムーバブルハードディスクをブートドライブとして適切に選択できる。
【００６６】
本発明の実施形態において、ＮＡＳ２０は、リムーバブルハードディスク２５１及び２５２の双方が自身のシグネチャを記憶していない場合には、リムーバブルハードディスク２５１及び２５２のうち、タイムスタンプが最新のリムーバブルハードディスクをブートドライブとして選択し、選択したブートドライブに記憶されたオペレーティングシステムを起動する。従って、上述と同様、ＮＡＳ２０に適したオペレーティングシステムが記憶されているリムーバブルハードディスクをブートドライブとして適切に選択できる。
【００６７】
本発明の実施形態において、ＮＡＳ２０は、リムーバブルハードディスク２５１及び２５２の双方が最新のタイムスタンプを記憶している場合には、ディスク番号が最小のリムーバブルハードディスクをブートドライブとして選択し、選択したブートドライブに記憶されたオペレーティングシステムを起動する。従って、上述の選択手法では、ブートドライブが選択できない場合にも、最終的にブートドライブを選択できる。
【００６８】
ＮＡＳ２０は、外部との通信を行うことが必須であるため、ＭＡＣアドレスが付与された通信部２１０を備えている。本実施形態では、ＭＡＣアドレスが通信部２１０を一意に特定可能な情報であることに鑑み、通信部２１０に付与されたＭＡＣアドレスをＮＡＳ２０の識別情報であるシグネチャとして用いる。従って、例えば、他のＮＡＳとの間でシグネチャが一意になるために必要なやりとりを行わなくても、シグネチャを簡易に一意のものとすることができる。
【００６９】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００７０】
上述した実施形態では、ＮＡＳ２０は、最小のディスク番号に対応するリムーバブルハードディスクをブートドライブとして選択したが、ディスク番号に基づくリムーバブルハードディスクの選択手法はこれに限定されない。例えば、ＮＡＳ２０は、最大のディスク番号に対応するリムーバブルハードディスクをブートドライブとして選択してもよい。
【００７１】
上述した実施形態では、ＮＡＳ２０には、リムーバブルハードディスク２５１及び２５２が接続されたが、接続される記憶媒体はこれに限定されない。例えば、ＳＳＤ（Solid State Drive）、フラッシュメモリ、ＳＤカード等の記憶媒体が接続され、これらにオペレーティングシステムが記憶されていてもよい。
【００７２】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００７３】
２０…ＮＡＳ、２１…本体、２２…蓋部、２００…制御部、２１０…通信部、２２０…記憶部、２３０…出力部、２４１、２４２…記憶装置接続部、２５１、２５２…リムーバブルハードディスク
【図１】
2011191904.tif 000003
【図２】
2011191904.tif 000004
【図３】
2011191904.tif 000005
【図４】
2011191904.tif 000006
【図５】
2011191904.tif 000007
【図６】
2011191904.tif 000008